(57)【特許請求の範囲】
【請求項１】
中間免震建物に用いるエレベータの構造において、エレベータシャフト内壁面に沿って水平方向に長穴（１ａ）を有する取付部材（１）を固着し、エレベータシャフト内を上下方向に貫通するガイドレール（１１）をレール支持部材（５）により支持し、一対の支持アーム（３Ａ，３Ｂ）の一端を１本のピン（４）で前記レール支持部材（５）に枢着し、他端の係止点（ｂ、ｃ）を前記長穴（１ａ）に係止し、前記係止点（ｂ、ｃ）を一対のバネ（８，８）で外方から付勢し、前記両係止点（ｂ、ｃ）の間の距離が変化することにより、前記ガイドレール（１１）のエレベータシャフト内壁面に関して直角の水平方向所定移動距離（Ｌ）を変位可能に構成するとともに、両係止点（ｂ、ｃ）が共に前記長穴（１ａ）に沿って移動することにより、前記ガイドレール（１１）のエレベータシャフト内壁面に関して平行の水平方向所定移動距離（Ｌ）を変位可能に構成し、菱形状のパンタグラフに形成し、外方に付勢されたバネ（２３）を内挿した案内アーム（２０）の一端部をエレベータケージ（１３）に固着し、前記ガイドレール（１１）に係合してエレベータケージ（１３）の上下方向の移動を案内するガイドローラ（２１）を案内アーム（２０）の先端部に設け、前記案内アーム（２０）の前記一端部と前記先端部との距離が変化することにより前記水平方向所定移動距離（Ｌ）の少なくとも１／２の変位を吸収する構成としたことを特徴とする中間免震建物対応エレベータの構造。
【発明の詳細な説明】
【０００１】
【発明の属する技術分野】
本発明は、中間免震建物に用いるエレベータの構造に関する。
【０００２】
【従来の技術】
中間免震建物においては、上層階と下層階との間で、水平方向に約２５０ｍｍの相対変位が生じ、エレベータはその変位に対応できなければならない。しかるに、従来のエレベータでは、エレベータケージを案内するガイドレールがエレベータシャフトに対して固設されており、したがって、上下層階間の相対変位に伴ってガイドレールは変形し、その範囲が弾性域を越えて塑性変形を起こしガイドローラが外れる恐れがあった。
【０００３】
そこで、例えば、特開平９−２７８３１４号公報において、ガイドレールを滑り支持装置を介して取り付け、ガイドレールが建物の変位に追従しないようにするエレベータが提案されている。しかし、この技術では、ガイドレールが滑り支持であって固着されておらず不確実な構造である、また、ガイドレールを分割し、伸縮装置または屈曲装置で連結しており構造が複雑である、等の問題点を有している。
【０００４】
【発明が解決しようとする課題】
本発明は上記の問題点に対応し、中間免震建物の上層階と下層階との間の相対変位に対応したエレベータの構造を提供することを目的としている。
【０００５】
【課題を解決するための手段】
本発明によれば、中間免震建物に用いるエレベータの構造において、エレベータシャフト内壁面に沿って水平方向に長穴（１ａ）を有する取付部材（１）を固着し、エレベータシャフト内を上下方向に貫通するガイドレール（１１）をレール支持部材（５）により支持し、一対の支持アーム（３Ａ，３Ｂ）の一端を１本のピン（４）で前記レール支持部材（５）に枢着し、他端の係止点（ｂ、ｃ）を前記長穴（１ａ）に係止し、前記係止点（ｂ、ｃ）を一対のバネ（８，８）で外方から付勢し、前記両係止点（ｂ、ｃ）の間の距離が変化することにより、前記ガイドレール（１１）のエレベータシャフト内壁面に関して直角の水平方向所定移動距離（Ｌ）を変位可能に構成するとともに、両係止点（ｂ、ｃ）が共に前記長穴（１ａ）に沿って移動することにより、前記ガイドレール（１１）のエレベータシャフト内壁面に関して平行の水平方向所定移動距離（Ｌ）を変位可能に構成し、菱形状のパンタグラフに形成し、外方に付勢されたバネ（２３）を内挿した案内アーム（２０）の一端部をエレベータケージ（１３）に固着し、前記ガイドレール（１１）に係合してエレベータケージ（１３）の上下方向の移動を案内するガイドローラ（２１）を案内アーム（２０）の先端部に設け、前記案内アーム（２０）の前記一端部と前記先端部との距離が変化することにより前記水平方向所定移動距離（Ｌ）の少なくとも１／２の変位を吸収する構成としている。
【０００６】
前記ブラケットのリンク機構は、一対の支持アームの先端部を互いに枢着し、その他端部を互いに距離をおき先端部の枢着点を頂点とした三角形状に配設してエレベータシャフト内壁面に沿い水平方向に摺動可能に係止し、かつ前記先端部でガイドレールを支持してガイドレールが水平方向に所定移動距離Ｌの変位を可能に構成するのが好ましい。
【０００７】
そして、このリンク機構を有するブラケットは、免震機構の設けられた近傍だけに用い、免震機構から離れた位置では相対変位のないブラケットを用いてガイドレールを壁面に対して固設するのが好ましい。
【０００８】
前記案内アームのリンク機構は、外方に付勢したバネを内挿した菱形形状のパンダグラフで構成し、水平方向に前記所定移動距離Ｌの少なくとも１／２の変位が可能に構成するのが好ましい。
【０００９】
本発明は上記のような構成により、中間免震建物の上層階と下層階との相対変位に対し、上層階と下層階とを貫通するガイドレールを支持しているブラケットはリンク機構によって水平方向に所定移動距離Ｌの変位が可能であり、したがって、ガイドレールは緩やかに弾性変形をする。そして、互いに対向するガイドレールの間隔が狭まるのに対しては、エレベータケージ両側の案内アームのリンク機構がそれぞれ少なくともその１／２づつ対応してエレベータケージの運行不能が回避できる。
【００１０】
【発明の実施の形態】
以下、図面を参照して本発明の実施形態を説明する。
図１および図２において、全体を符号１０で示すブラケットは、エレベータシャフトＳの内壁面１２に固着され、断面が逆Ｌ字状で壁面に沿って水平方向に延び、かつ上面に長穴１ａを有する取付部材１と、シャフトＳ内を上下方向に延びるガイドレール１１を支持するレール支持部材５と、一端がそのレール支持部材５と１本のピン４で互いに枢着され、他端が前記取付部材１の長穴１ａに係止された一対の支持アーム３Ａ、３Ｂとで構成されている。
【００１１】
そして、その一対の支持アーム３Ａ、３Ｂは、一端の互いに枢着されたピン部を頂点ａとし、他端の取付部材１の長穴１ａへの係止点ｂ、ｃを底辺とした三角形状に形成され、外方から付勢された一対のバネ８、８によって定位置に保持されおり、レール支持部材１に水平方向（壁面に直角方向）の変位が生じた場合、長穴１ａの係止点ｂｃ間距離（三角形の底辺長）の変化としてそれを吸収し、ガイドレール１１（レール支持部材５）の変位量が所定値Ｌ（例えば２５０ｍｍ）となるようにリンク機構が構成されている。
【００１２】
また、図３に示すように、エレベータケージ１３の側面には、ケージ１３の上下方向移動をガイドレール１１に沿って案内するガイドローラ２１を先端部に設けた案内アーム２０が固着されている。
図２に戻って、その案内アーム２０は、菱形状のパンダグラフに形成され、外方に付勢されたバネ２３が内挿されて定位置に保持され、ガイドレール１１の前記所定変位量Ｌの少なくとも１／２（例えば１２５ｍｍ）の変位を吸収するようにリンク機構が構成されている。
【００１３】
なお、このエレベータが設けられたエレベータシャフトＳは、図４に示すように、その断面が従来の必要寸法ＡおよびＢに対して、変位量Ｌだけ大きく、Ａ＋ＬおよびＢ＋Ｌに形成されている。
【００１４】
このような構成によれば、図５に示すように地震によって免震機構Ｍが作用し、上層階Ｕと下層階Ｄとの間に水平方向で相対的にＬ（例えば、２５０ｍｍ）だけの変位が生じた場合に、ガイドレール１１は、エレベータシャフトＳ側に固着されているブラケット１がそのリンク機構によって変位Ｌを吸収し、上下方向に対して緩やかに弾性変形する。
なお、リンク機構を有するブラケット１は、免震機構Ｍ上下の近傍にだけ用い、離れた位置では、相対変位を許容しないブラケット（図示なし）でガイドレール１１を固設するのが安定して好ましい。
【００１５】
そして、対向する２本のガイドレール１１、１１の間隔Ｗは最大でＬだけ狭くなるが、この量はケージ１３両側の案内アーム２０の変位で吸収され、エレベータは異常なく運行できる。なお、図中、ｅは保持スペース（例えば、１００ｍｍ）を示している。
また、ケージ１３は、水平方向に移動可能に支持されているので、地震時には建物の振動を吸収減衰し、制振効果が生じる。
【００１６】
【発明の効果】
本発明は、以上説明したように構成されているので以下の効果を奏する。
（１）  中間免震建物において免震機構が作用し、上層階と下層階との間に水平方向の相対的な変位が生じた場合、ブラケットのリンク機構によってガイドレールは上下方向に対して緩やかに弾性変形し、大きな応力が生じることはない。
（２）  そして、対向するガイドレールの間隔が狭くなるが、この量はケージ両側の案内アームのリンク機構で吸収され、エレベータが運行不能となるのが回避できる。
（３）  ケージが、水平方向に移動可能に支持されているので、建物の振動を吸収減衰して制振効果が生じる。
【図面の簡単な説明】
【図１】本発明のエレベータの構造によるガイドレールの支持部分を示す平面図。
【図２】図１の側面図。
【図３】エレベータケージを示す図。
【図４】エレベータシャフトの形状を示す断面図。
【図５】中間免震機構によるガイドレールの変形を説明する図。
【符号の説明】
１・・・取付部材
３Ａ、３Ｂ・・・支持アーム
４・・・ピン
５・・・レール支持部材
１０・・・ブラケット
１１・・・ガイドレール
１２・・・壁面
１３・・・エレベータケージ
２０・・・案内アーム
２１・・・ガイドローラ
２３・・・バネ
【図１】
0003727203.tif 000002
【図２】
0003727203.tif 000003
【図３】
0003727203.tif 000004
【図４】
0003727203.tif 000005
【図５】
0003727203.tif 000006